(57)【要約】【課題】通信販売やホームソーイングにおいて、なるべく簡単に体型を把握して、好みのスタイルの型紙を得る。【解決手段】縫製において縫い合わされる部分や必要な個所に、サイズを変えられる機能を付与した本体と、糸等で縫いあるいは接着する代わりとなる接続具等を使用して、注文した人やホームソーイング、オーダーにおいて、本人が着脱をしたり実際に着て動いてみながら調節して、その人自身の体型や好みのスタイルを、精度は低いがその分簡単に把握することができる、着付型紙を使う。【選択図】図１
2006089905.tif 000002
【特許請求の範囲】
【請求項１】
袋の開口寸法３〜７ミリで袋縦寸法が５〜１０ミリである底のない袋体が連結して横方向に連なっていることを特徴とする着付け寸法取りピッチシート。
【請求項２】
請求項１のピッチシートを設けたことを特徴とする着付け型紙。
【請求項３】
幅４〜８ミリの布テープをはしご状に配置し、テープ縦方向に、３〜７ミリの間隔で縫い付けたことを特徴とする着付け型紙。
【請求項４】
ネット状のピッチシートを設けたことを特徴とする着付け型紙。
【発明の詳細な説明】
【技術分野】
【０００１】
本発明は、通販やホームソーイング、オーダーにおいて体型を簡便に把握し、好みのスタイルを実現できる型紙を得る一助とするためのものである。
【背景技術】
【０００２】
洋服はアパレルメーカーによって不特定多数の人を対象として企画製造される既製服と、特定の個人を対象としてつくられるもの（オーダー、ホームソーイング等）、とがある。
【０００３】
既製服と呼ばれる洋服類においては、たくさんの人の人体各部の採寸データを集め、それを基に洋服をつくる。（たとえば日本工業規格、成人女子衣料サイズＬ４００５の体型区分によると、日本人の成人女性の身長を１４２、１５０、１５８、１６６センチに区分し、更にバスト７４〜９２センチを３センチ間隔で、９２〜１０４センチを４センチ間隔で区分した時にそれぞれの身長とバストの組み合わせにおいて出現率が最も高くなるヒップのサイズで示される人の体型をＡ体型とし、それよりもヒップが４センチ小さい人をＹ体型、４センチ大きい人をＡＢ体型として区分、と、ここまででも１０８種類のサイズ区分ができる。）購入しようとする人にとって自分が当てはまる体型区分の洋服を選択すればいいというしくみである。けれどもアパレルメーカーは、かならずしもすべての体型区分の洋服を製造販売しているわけではない。そのため基準となる出現率の高い体型の人にはよくあうが、出現率が低く、ひとまとめにされた区分における製品の場合は、大きなサイズで作られるために、ラインはゆるめになる。標準体型の人にとっては申し分ないが、そうでない場合はあまりあわないということになり、また商品の数も限られるなど、満足は一様ではない。
【０００４】
オーダーの手順としては、注文者を特定した原型型紙を製図作成し、その原型にスタイルブックなどを参考に適度なゆるみを入れて、デザインパターンを作成し布を裁断する。その布をしつけで粗く縫い合わせるなどの仮縫いをした後、注文者に着せて、技術を持った職人が、くせ取りと呼ばれる各部分のしわをなくす作業や補正を、注文者との会話を通し注文者の意向を得ながら、繰り返し行った後で、正式に縫い合わせるという、確実な手順をふむ。そのようにオーダーされた衣服は、機能し、表現し、心ときめかせる。ただ仕上がりの完成度に対し、時間と場所、価格面で制約を受ける。また、高度な技術を得るためには、かなりの修行を要する。
【０００５】
注文者が足を運ぶ必要はあるが、人体寸法の３次元データを得られる装置がある。その装置で得た情報を元に、その人にぴったりのオーダー下着等を作成する新しいビジネスも行われている。また、通信手段を用い、ピッタリしたスタイルだけではなく、生地の風合いや、ゆるみ加減を考慮した画像を本人の写真と共にディスプレイ表示し、注文を受けて
製造販売する試みもあるようである。現在発展中のように思われる。
【０００６】
市販の実物大型紙の場合、上着関係であればバスト寸法を、ボトム関係であればヒップ寸法を測り、その寸法に当たるラインを実物大型紙の中に探し、そのラインをもって、裁断縫製する。サイズ寸法が変われば、上から下まで一気にラインの位置が変わる。ただ、作る人が、より納得が得られるように、自分の裁量で変化をもたせることができる
【０００７】
公開されている関係特許技術としては、（特許文献１参照。目盛付き仮縫い着衣）縫い合わせ線と、相対する印を入れた、サイズが異なる複数線を印刷したものである。というもので、実物大型紙の縦の線に対し横に目盛があり、針と糸とピンによって行う従来の仮縫いの目安にするものと考えられる。（特許文献２参照。洋服の縫製方法）既製服の体型区分を元に、オーダーのための補正用ダミーをつくり、それを着せてくせ取りを行い、型紙を得た後、加工伝票で管理する。というもので、これはオーダーにおける最初の原型を得るための製図をはぶいたものと考えられる。（特許文献３参照。採寸用服型）目盛のついたサンプル衣服を着て、好みのラインを着た状態で採寸するというもの。（特許文献４参照。通信販売する洋服類の試着用ダミー）通信に便利な軽い素材に、あらかじめデザイン線を複数サイズ縫っておき、着用者が、自分自身で糸を抜きながら、好みのサイズスタイルを選択したダミーを元に型紙を得る。というもので、ちょうど実物大型紙のようなものと理解する。一度糸を解くともどせない。（特許文献５参照。衣類のオーダーメイド用計測サンプル及びオーダーメイド方式）着用して、面ファスナー、スナップ、ボタン等で調節しながらサイズを得るオーダー方式。というもので、どちらかというと既製服の一つの基本寸法に対してもう一方を変えていくというように、支点からの角度を得るようにも見える。
【０００８】
【特許文献１】実開平０２−８２７１３号公報
【特許文献２】特開平０４−１２６８０９号公報
【特許文献３】実開平０９−６７７１１号公報
【特許文献４】特開平１０−２０４７１３号公報
【特許文献５】特開２００３−２３９１３０号公報
【発明の開示】
【発明が解決しようとする課題】
【０００９】
注文する人のデザインやサイズに対する希望をどれだけ具体的に反映させることができるのか。オーダーにおいては本来職人が注文者と意思疎通しながら行う採寸と仮縫いなどをどう簡便にできるのか、職人のオーダー品には遠くおよばずとも、注文者みずからが、何度でも納得のいくまで好みのスタイルを探り得られることなど、より注文する人個人の
意思が反映できる型紙を得る。
【００１０】
米国において衣料品の通信販売で実績をあげている会社があるが、その理由は何度でも返品交換が可能であるということによるという。実際に商品を目で見、触れ、試着して買うことのできる店舗とくらべ、通信販売においては、実感を得るのが難しい。購入することに二の足をふむことは容易に理解できる。生地の見本については郵便で送ることもできるが、着用のサイズに関しては大きな問題であろう。国内で水着の通信販売を行っている会社では、デザインの古くなった水着を何サイズか試着用に送るサービスを行っている所もある。ただ、これから売らんとする商品を何度も、あるいは何サイズか試着用に送るということには、販売者側において抵抗がある。そこで事前に、注文者の体型や好みをなるべく経費をかけずに把握しておくことができれば便利で安心である。
【００１１】
ホームソーイングなどにおいて、たとえば成人女性が実物大型紙を用いてスカートを縫い上げ、それを、同じヒップウエストサイズの母親が着た場合に、かならずしも母が娘と同様のスタイルを実現できるとは限らない。それはひとつには、採寸上の問題で、ヒップ寸法は、（おしりを横から見て一番高い所を通る外周）という定義上、横から見た場合の、お腹の張り出しは、ウエスト寸法にもヒップ寸法にも反映されていない場合がある。スカートにおいてヒップ寸法を得る場合は、前の部分で浮かしてお腹の張り出しを考慮するなどの必要がある。また、正面から見た場合の腰の張りなどにも個人差がある。これらの採寸サイズに現れない部分をどのように把握するべきか。その他にも、（産業技術総合研究所 デジタルヒューマン研究ラボが1997年から1998年にかけて計測した日本人青年男女約200名、60歳以上の男女約100名の人体寸法のオリジナルデータ）で見た場合、青年女性群と高齢女性群で見た場合、ヒップのサイズ１センチの差が、ウエストにおいては１５センチの差となる。など、加齢によるサイズ変化はつかみにくい。以上のようなことから個々人のサイズの特徴をつかむことで、より良い納得が得られる。
【課題を解決するための手段】
【００１２】
縫製において縫い合わされる部分の必要な個所や適宜な所に、サイズ、位置を変えられるピッチシートを付けた本体と、糸等で縫いあるいは接着する代わりとなるクリップ類やテープ紐等を使用して、着脱をしたり、着た状態で動いて見るなどして、注文者自身自らが、調節しながらスタイルを探っていくことができる、着付け型紙一式を用いる。本来型紙は紙上に製図をして作られるが、洋裁などにおける「立体裁断」という手法においてはシーチングという綿布を使って、「人台」と呼ばれる人の形をしたボディに針ピンで留めつけハサミでカットしながら形を取り、その布を”型紙”、として、紙に製図したと同等以上の型紙を得る。また、「人台」からピンをはずして、粗くしつけ糸で縫い合わせ、人間が着てサイズ、デザインを確認する場合もある。そのようなことから、本発明で述べている着付け型紙とは、強い紙や、フィルム、不織布、薄い布などを使った、実際に人が着てサイズ取りをする型紙とする。「立体裁断」であれば、ピンで「人台」に刺して留めつけることを、本発明のピッチシートとクリップ類を使うことにより実際の人間で行うことができる。
【００１３】
注文者が書き込むための、着付け型紙本体と相対する印付きの、セットされた型紙や記入用紙を用いる。
【００１４】
“婦人服のための体型分類”として「反身体型」「標準体型」「屈身体型」「鳩胸体型」「肩甲骨突起体型」「前肩体型」「肥満体型」「痩身体型」があげられている。（「近藤れん子の立体裁断と基礎知識」近藤れん子著、（株）モード・エ・モード社発行参照）普段は何気なく過ごしているが、写真を見ると、こんなにも人それぞれに体型が違うのかと、服作りの大変さが感じられる。個々人の特徴を把握し、似合った洋服を作るために、先の出願特許や洋裁業者、各種洋裁学校養成所、などでは、工夫をこらしていることと思う。“洋服を作る場合において、丸みのある人体を「箱」のようなものと考え、面の集まりとしてとらえる。”という考え方がある。（「プロのためのカッティングシステム」安東武男著、（株）モード・エ・モード社発行参照）ひとつの面を考えると、各位置の幅や高さ、面の傾きなどが構成要素となる。メジャー採寸によってひとまとめにされた、その位置の外周（図１−１）を、面と面とのつなぎ目や体の脇線、体中心線など、縫製によって縫いあわせるライン（図１−２）ごとに、細分してデータとすることができなければ、その人の体型に合わせた洋服はできない。そのため請求項１のピッチシートでは、縦のラインにピッチシートを取り付けた数分だけ（図１−３）、「メジャーを巻き、各縫製の部品ごとに、そのライン上のパーツサイズデータを得る」ことができるという条件を満たすため、取り付けた位置のプラスの方向（図１−４）とマイナスの方向（図１−５）、どちらにもサイズを増減することを可能とし、請求項１のピッチシート（図１−６）とそれをつなぐ接続具Ｕ字形クリップ（図１−７）を使って、請求項２の衣服の形態をなした（図１−８）後は、オーダーにおける仮縫い衣装のように実際に着て、さらに動いて見て調節をして、パーツサイズデータを得ることや、結果出来上がりの完成サイズを実感しながら、好みのスタイルを実現させる。相対する印付きの、セットされた型紙や記入用紙は、サイズのデータを間違わずに簡単に記入できるように、準備するものである。
【００１５】
請求項３のように、請求項１のピッチシートを取り付けるという手順ではなく、縫製上の部品（図２−１５）に直接、サイズを調節するための、クリップ類を差し込む「開口部」（図２−９）と「保持部分」（図２−１０）を取り付けてしまうこともできる。幅４〜８ミリの布テープ（図２−１１）をはしご状に配置し、テープ縦方向に、３〜７ミリの間隔で縫い付け（図２−１２）、Ｕ字形クリップ（図１−７）でつないで、衣服の形態をなす。クリップ類を差し込む「開口部」と「保持部分」があれば、機能するので、縫製上の部品の、テープの裏側部分はなくてもいい。そこで０．１ミリ厚ほどのポリビニルクロライドなど、薄くて強度のあるシート（図２−１３）に横幅３〜７ミリで縦２ミリほどの楕円の穴（図２−１４）を、上下に５〜１０ミリ離してあけ、クリップ類でつなぐ時に便利なように開口部として盛り上げておくことによっても作ることができる。またピッチシートの機能部分は切り出して他の部品に取り付けて使用することもできる。
【００１６】
請求項４のネット状のピッチシートは、開口部２個（図３−１６）でクリップ類を保持できることから、ネット状のものを、縫製の部品や、部品に加工するベース上に取り付けることにより、機能させる。（請求項３のテープを敷き詰めた感じ）。７ミリ角の防風用ネットであれば、縦の部分をベースに固定（図３−１７）（ナイロンなどは熱で接着し、あるいはミシンで止め、ニット地等では一体に成型）し、横部分はすこしベース上から浮かして、開口部を設ける。開口部２個以上で、クリップ類を保持できる。ネットの交差部分（図３−１８）のみ、ベースに止めた場合は、上下方向と横方向、どちら側からでもクリップ類の差込が可能となる。
【００１７】
ピッチシートの取り付け方によっては、一つ目のピッチシートと２つ目のピッチシートを結ぶラインがちょうど階段（図４−２２）のようになる。そこで、取り付け場所によってはピッチシートの袋体の上下間の中間をせまく（図４−２３）して、斜めのラインがきれいに出せるようにする（図４−２４）。ネット状の場合は台形のような形の組み合わせのもの（図３−２１）を使用することで解決できる。
【００１８】
通信販売においては、本来の商品を送る前に着付け型紙一式を送り、サイズデータを得て、そのデータによる体型の傾向を考慮して、商品を勧める。
【００１９】
ホームソーイング等においては、作ろうとする縫製パーツの必要個所に、請求項１のピッチシートを取り付け、スタイルを確認し、それを基に、型紙を修正して完成品に反映させる。（ただし、用いる布が高価な場合は、安い布や古くなったシーツなどを利用するとよい）また、気に入っているが、着られなくなった洋服の縫い目を解き、あるいは適当な部分を切り開き、ピッチシートをとりつけて、必要とするゆるみ分を確認して、作り直すことにも便利である。
【００２０】
伸び縮みする布等で作る衣服でありながら、部分によっては、１ミリ程度の寸法の違いでも、イメージが変わる。そのため、型紙の作成には、ち密な繊細さが要求されるものではあるが、精度よりは、簡便さを得ることを求めることとする。日本工業規格、成人男子衣料サイズＪＩＳＬ４００４成人女子衣料サイズＬ４００５などによると、バストヒップなどの外周については、２〜３センチの区切りでサイズが変化している。そこで、前身頃の左右２つと、後身頃２つの４パーツでも５〜７ミリのピッチが必要となるが、おおよそこのピッチ変化を実現することを目標とする。ただダーツなどについては、より細かなサイズ調節が必要なため、クリップの限界と思われる３ミリのピッチを活用することをめどとする。
【発明の効果】
【００２１】
請求項１のピッチシートを使用することにより、ただ人体サイズを得るだけではなく、完成したと同じサイズの洋服をじっさいに着た状態で、歩き、走り、座り、飛ぶ、など動いて確認しながら自分で調節を繰り返し、必要なゆるみ加減を求めることができる。立った状態から、座った時には、ウエストで１センチ、腰回りで２センチほど太くなると言われているが、各個人により、締め付け加減に対する感覚は違うであろうし、どれだけのゆるみが、その人にとってそのデザインにとってベストであるのか、自分自身の感覚で調節できることにより、より満足の得られる、ラインが選べる。
【００２２】
サイズのピッチを得るために、面ファスナーを使用した場合、自由簡便に変化させることが可能だが、目盛は繊細で扱いがむずかしい。また厚みのため折り曲げにくいし、大きな面がないと引きに耐えられないために、縦横両方にこまかく変化させることには向かない。縫い合わせ線をどこにとるかもむずかしい。また、前カン、スナップ、カギホック、足袋のこはぜ、などは片側に取り付けるためのものであり、片方だけにピッチを得る場合にはいいが、両面等分に変化させることはにがてで、引く力が働いていないとはずれやすい。
【００２３】
メジャーを使って外周をひとまとめとして採寸し、バスト、ヒップの寸法が同じサイズとしても、人体の重心線に対して、前側が大きいバスト寸法に対し、後ろ側のヒップ寸法の張り出しを、同一にはできない。重心線や脇のラインに対し、前にゆるみを増やすか、後ろに増やすか、など、個人の体型やデザインの状況により変わってくる。丸みのある人体を面としてとらえた時の、面どうしの“つなぎ目”、縫製上の縫い合わせ線やデザイン線を自由に得るためには、折り込んで、ラインを前側と後ろ側の、どちらにでもピッチ移動できることは重要である。
【００２４】
通信販売においては本来の商品が届く前に、生地の見本を見たり、体型を把握しておくことによって、それがない場合よりも安心して注文してもらえるであろうし、販売側では交換や返品のリスクを軽減しデザインの提案をすることが可能となる。
【００２５】
ホームソーイングの実物大型紙やオーダーにおいては、針と糸で仮縫いする場合に比べ、より何度でも繰り返し調節できることから、部分的なラインの修正を得られやすくなる。また、他の洋服においても、その効果を応用できる。
【００２６】
アパレル用のＣＡＤを利用し、多彩なデザインを展開して、そのデザインの実物大の型紙や完成品を販売する場合においても、注文者の体型を把握してあれば、より納得のいくサイズのものができる。また縫製においてトヨタ方式と呼ばれる数人グループ内の最初の人から最後の人までの間に１着を完成するというスタイルにおいては、コンピューターによる自動延反裁断機などでカットし縫い上げるなどの、工業的なオーダーにも便利である。
【発明を実施するための最良の形態】
【００２７】
基ベースとなる布やフィルムなどの上に、縦寸法５〜１０ミリの薄い細長いテープを“横棒縦縄はしご”状の、横棒の位置に配し、縄の方向に３〜７ミリの開口部を接続具クリップ類の厚みを考慮して設けながら、止め、それを横棒方向に繰り返すとピッチシートの原型となる。布の場合は縫うことなどにより、フィルムなどの場合は熱や接着剤等適宜な方法で止めつけていく。請求項３のように基ベースが縫製上の部品の時にはこの状態で完成するが、使い易くするために、あらかじめ作っておく場合、横棒部分を単体で、あるいは数段セットしてベースごと接着や、縫い合わせるなどできるようにしておく。そして、縫い合わせるべき部品どうしの開口部に、Ｕ字形やＩ形等の、接続具クリップ類を差込んで部品をつなぎ合わせて衣服の形態をなす。
【００２８】
ピッチシートの袋体の開口寸法は、既製服のチェストやバスト寸法などの１サイズの増減を２〜３センチとしていることを考慮、身ごろパーツ４つに割り当てる寸法として５ミリ〜７ミリ変化が適当であり、袋体の縦寸法は、１０センチに４〜５設ける場合に、フィルムなど強度が弱い場合は１０ミリと長く、強い場合は５ミリ程と材質により変える。あまり近く設けるとめんどうになる。ただダーツなど特別な場合については、より細かなサイズ調節が必要なため、クリップの限界と思われる３ミリ相当のピッチを活用することをめどとする。
【００２９】
接続する時と、その後の着付けの効果を得やすいように、袋体1つ分ずつあるいは適宜に、色や印を付し、型紙の元を成すベース部分にも同様の理由で色や線、印を必要に応じ付す。また得られたサイズデータを書き込みやすくするために、対応した記入用紙や型紙を準備しておく。
【実施例１】
【００３０】
請求項１のピッチシートをフィルムなどで作る例としては、幅１０ミリ厚み０．０５ミリの細長いポリエチレンテープ上に幅７ミリの同テープをセットし、クリップ類の厚み分浮かしながら、開口部を熱接着などで設けていく。ベースとセットするテープ幅がいっしょだと、クリップ類を差し込む時にひっかかるためベースはすこし広めのほうがよい。そして裏側に両面テープを貼り付ける。数段設ける時も同じような手順を繰り返す。数段セットした時につながりをしっくりさせるためには、中間部をせまくすることで解決できる。
【実施例２】
【００３１】
“着付け型紙“はおおよそのサイズで裁断された、パーツ上の必要部分に、ピッチシートを取り付ける。サイズの影響をあまり受けない部分や必要のない部分は、布においては、粗く縫い合わせるか、伸縮性のあるポリテープ（ポリフィルムに市販両面接着テープ状の糊をセットしたもの）で貼りあわせて衣服状とする。フィルムや不織布類で“着付け型紙”を作る場合は、熱で接着するか、接着材で接着して衣服状とする。
【実施例３】
【００３２】
請求項３においては、請求項１のピッチシートを取り付けるという手順ではなく、縫製上の部品に直接、サイズを調節するための、クリップ類を差し込む「開口部」と「保持部分」を取り付けてしまう。幅６ミリの布つりテープやサテンテープをはしご状に配置し、テープ縦方向に、３〜７ミリの間隔で縫い付け、クリップ類でつないで、衣服の形態をなす。やはり、サイズ機能を必要としない場所は、粗縫いや、熱、ポリテープなどでつなげて、衣服状とする。クリップ類を差し込む「開口部」と「保持部分」があれば、機能するので、縫製上の部品の、テープの裏側部分はなくてもいい。そこで０．１ミリ厚ほどのポリビニルクロライドなど、薄くて強度のあるシートに横幅３〜７ミリで縦２ミリほどの楕円の穴を、上下に５〜１０ミリ離してあけ、クリップ類でつなぐ時に便利なように開口部として盛り上げておくことにより機能させて、使う。またピッチシートの機能部分は切り出して他の部品に取り付けて使用することもできる。
【実施例４】
【００３３】
請求項４のネット状ピッチシートの場合、縫製の部品体や、部品に加工するベース上に、開口部を得るために横糸方向を浮かせ、縦糸方向をベースに接続してピッチシートを作る。７ミリ角の防風用ネットであれば、縦の部分をベースに固定（ナイロンなどは熱で接着し、あるいはミシンで止め、ニット地等では一体に成型）し、横部分はすこしベース上から浮かして、開口部を設ける。開口部２個以上で、クリップ類を保持できる。そして縫製上の部品に取り付けるために、貼り付ける場合は両面接着テープ等をセット、縫い付けの場合は、ベースが布の場合はロックミシン等でほつれ止め等をして使いやすくする。交わる部分をベースに止めつけた場合、上下方向と横方向、どちら側からでもクリップ類の差込が可能となり、縦横どちらの方向でも使える。ピッチシートの取り付け方によっては、一つ目のピッチシートと２つ目のピッチシートを結ぶラインがちょうど階段のようになる。そこで、取り付け場所によっては、斜めのラインがきれいに出せるように、台形のような形の組み合わせネット状のものを使用することで解決できる。
【実施例５】
【００３４】
通信販売において、国内すべての地域へ安く送るためには、郵便局の定形外で２００グラム２４０円ぐらいまでが妥当であろう。そのため着付け型紙は、必要最小限になるべく安くあげる必要がある。
【００３５】
一例として、必要な部分以外は伸縮性のあるポリ接着テープでつなぎあわせることにより、手数をはぶき、サイズ変化を見たい部分にのみピッチシートを設置する。ポリ接着テープに２重に広めのポリフィルムなどをたたんでつなぎ格納しておいて、接着テープ長手方向にミシン目を入れておき、サイズが小さい時ミシン目を切って大きくし、その後再び、小さいサイズを得る時にピッチシートを使用すると便利である。
【００３６】
他の例として、現在布帛婦人服を製造している設備を発展させて行うとした場合。裁断方法として進んでいる、コンピューター制御による超音波自動延反裁断機の、切断する部分に、フィルム（その他素材）を接着する機能を付加し、ピッチシートを設置していく。“横棒縦縄はしご”状で棒と棒の間隔１７ミリ程の横棒の太さ分８ミリ程の任意のテープを、下のフィルムの縫い合わせライン上に設置していく。縫製する小さいサイズのラインより更に少し小さいサイズから、順次大きいサイズラインまで２ミリ接着５ミリ移動、テープに適宜ゆるみを入れて接着し、袋体の開口部を設けていく。請求項１の袋体の開口寸法に相当するサイズ、すなわち線と線の間隔を、任意の位置で増減させようとした場合にも、現在の裁断機の性能（１ミリを制御可能）で可能と思われる。縫製のパーツと同様超音波によって外側をカットする。そして必要部分以外は熱で接着して衣服状（雨合羽状）とする。スカートパンツ類であれば、ずり落ちないように、ウエスト部分に８コール程度のゴムテープを仕込む。なおダーツについては、およそ１０センチの縦の上下間で、０〜２０ミリくらいまで変化が必要だが、開口部を３ミリほどにセットして調節してもらい、最終的にパターンメイキングで処理する。
【００３７】
ピッチシートの作り方と設置のしかたとしては、横１０センチ（任意）の長いテープを横方向に８ミリ（任意）間隔でたやすく切れるようにミシン目を入れて巻いておき、その１本分の端どうしを保持し押し付け、インクジェットプリンタの発熱部を発展させて、ピンポイントで接着する方法も考えられる。強度を上げるために長いテープの長手方向の両端をすこし厚くしておき、横棒の方向に引き込み、カット接着するという方法もある。また現在の技術で容易に行うとすれば、セロハンフィルムや相当するものに、横棒の部分をあらかじめセットし巻いておき、それを展開しながら、または横棒そのものを単体にセットし、耐熱ガラス繊維などをヒーターにセットした接着部で熱着させるなどの方法も可能である。もし耐熱ガラス繊維をセットできない場合はセロハンフィルムやそれに相当するものを当て布として使用する。
【００３８】
開口部をつなぐ接続具としては、郵便葉書大の適度な弾力と強さのある薄板、たとえばポリプロピレンの厚さ０．７ミリ程度を幅８ミリ、縦の長さ２０ミリ程度に切り分け（およそ９３個取れる）長い方向に中心を１４ミリ程切り込み、差込みしやすいように角を丸くし、接続部が落ち着くように丸鉄アレイ状に切り欠き部を設ける。このクリップ（図１の５）を用いるとスカートであれば後ろ中心、両脇、前中心の４ライン、股上３０センチ股下２０センチまでの接続が可能となる。
【００３９】
上記を着用者が装着する時には、鏡を使用し、できれば他人に見てもらい、まず付された色、線、印、等で表示された基本となるサイズ寸法のライン上のすきまどうしを、クリップをつかってさし込み接続していき、最も自然で似合うと思うラインを選択してもらう。そしてその結果をセットされた型紙や記入用紙に読み取ってもらい効果として反映させる。
【００４０】
超音波による裁断ではなく、メスが上下するタイプにおいては、熱により溶着してしまうので、熱に強いケミカルボンド製法による張りのあるタイプの不職布（「縫い糸ハンドブック」、東京糸問屋協同組合発行参照。）などを縫製部品体とし、その必要部分に、ピッチシートを取り付けて“着付け型紙”をつくる。
【実施例６】
【００４１】
実物大型紙によるホームソーイングやオーダーの場合。請求項１のピッチシートをしっかりと作るため、布などを型紙の基を成すものとし、その上に５ミリ幅の布つりテープ（任意）等を“横棒縦縄はしご”状の横に配し、なわの方向に、ミシンなどで数条縫いつけて作成したものを、縫製のパーツにミシンで縫い合わせ、あるいは両面テープ等で貼り、使用する、接続具は、針金などを４センチに切り二つに折ったものを、重ねずつぶしたような形の、端２箇所を、差込やすいように丸く、平たくけずり、開口部がおちつくように、中を丸鉄アレイ状にけずり、二つに折った側を、持ちやすいようにすこし曲げて加工したもの等すこし強度のあるクリップや、樹脂製等でも適宜強度をあげたもので部品どうしをつなぐ。
【００４２】
片側にダーツがある場合はそのたたみ分により位置ずれするため、テープの強度を上げて縦４〜５ミリ間隔で連続して開口部を設けておくことや、ネット状の利点を活用することでズレの差を解消できる。ネット状では“横棒縦縄はしご”状の横棒の位置を多数得ることができる。
【００４３】
また、気に入っていたが着られなくなった洋服などは、縫い目を解き、あるいは適当な部分を切り開き、ピッチシートをとりつけて、必要とするゆるみ分を確認して、作り直すことにも便利であるし、切り替えとして新しいデザインに変更するのもいい。色柄素材などでおしゃれなピッチシートをセットした場合、ピッチシートをアクセントとしてそのまま着用することもおもしろい。
【００４４】
接続のためのクリップ類は、洗濯バサミの先端を箸状に２つにして、薄く開口部に入るように細くして、簡単にはずれないようにしたもの、面の片側を少し短くし、突起や、切り欠きを設けてはずれにくくしたり、先端部位の２本の片方を長めにして、差込の時に部品の一方を保持しながら、もう一方に差込できるようにしたり、ピッチシートと取り付ける場所位置などを考慮して準備する。フィルムなどの軽い素材では、簡単なものでよいが、基ベースが重くなると、はずれやすいので、ピッチシートをしっかり保持でき、付けはずしが簡単でなければならない。複数サイズ連続して差し込んでおき、順にはずしていく場合には薄く強くなければ不便となる。
【００４５】
Ｉ形クリップ（図３−Ｂ）は、Ｕ字形と違い、まず始めにそれぞれのピッチシートの開口部に単独で差込む。ストッパー付きＩ形クリップ（図３−Ａ）の上部には、心棒（図３−２０）により回転できるストッパーを取り付けてあり、もう一方のＩ形クリップ（図３−Ｂ）の上部には、引っかかり部分を設け、ストッパー付きＩ形クリップとＩ形クリップを隣に寄せて、ストッパー付きＩ形クリップのストッパー部を回転させてＩ形クリップの上部のひっかかりにはめ込むことで使用する。（図３−１９）あるいは、Ｉ形クリップとＩ形クリップを隣に寄せた後で、洗濯バサミのようなクリップで、２本のＩ形クリップをはさんで止める。クリップ類はピッチシートと組んで衣服の形態をなすために不可欠である。
【図面の簡単な説明】
【００４６】
【図１】洋服の採寸データと請求項の説明図
【図２】請求項３の説明図
【図３】請求項４の説明図
【図４】ピッチシートの説明図
【符号の説明】
【００４７】
１  人体や洋服の、一まとめに測った外周
２  洋服を構成する縫い合わせのライン
３  複数個設置したピッチシート
４  サイズが大きくなる方向
５  サイズが小さくなる方向
６  1コのピッチシート
７  Ｕ字形クリップ
８  衣服の形態をなす、着付けられる状態の“着付け型紙”
９  開口部
１０保持部
１１布テープ
１２縫製部品体に止め付けたミシン糸
１３縫製部品体、ポリビニルクロライドなどのベース
１４穴
１５縫製上の部品体
１６ネットの開口部
１７ベースとの接着部
１８ポイントでベースと止め付けた接着部
１９組んだ状態のＩ形クリップ
２０Ｉ形クリップ可動部の心棒
２１斜めにラインを整えられるネット体形
２２階段状態
２３袋体の縦中心部をせまくした部位
２４斜めにラインを整えられる状態模式
Ａ  ストッパー付きＩ型クリップ
Ｂ  Ｉ形クリップ
【図１】
2006089905.tif 000003
【図２】
2006089905.tif 000004
【図３】
2006089905.tif 000005
【図４】
2006089905.tif 000006